(57)【要約】      （修正有）【課題】複数のウィンドウを階層的に表示して設定操作を順序立てて行うときの利便性を向上する。【解決手段】情報が表示される表示部７１と、ユーザーに選択させる項目である被選択項目をツリー状に関連付ける関連付け情報を記憶する記憶部１２と、複数の被選択項目を選択可能に表示する第１ウィンドウを表示部７１によって表示させる第１ステップと、第１ウィンドウに表示された被選択項目のうちの一つが選択された場合に、選択された被選択項目に対して前記関連付け情報によって一つ下の階層に関連付けられた被選択項目を選択可能に表示する第２ウィンドウを、第１ウィンドウを複数の被選択項目を選択可能な状態で表示したまま、表示部７１によって表示させる第２ステップとを実行する表示制御部１３と、を備える。【選択図】図３
2014006875.tif 000002
【特許請求の範囲】
【請求項１】
情報が表示される表示部と、
ユーザーに選択させる項目である被選択項目をツリー状に関連付ける関連付け情報を記憶する記憶部と、
複数の前記被選択項目を選択可能に表示する第１ウィンドウを前記表示部によって表示させる第１ステップと、
前記第１ウィンドウに表示された被選択項目のうちの一つが選択された場合に、前記選択された被選択項目に対して前記関連付け情報によって一つ下の階層に関連付けられた被選択項目を選択可能に表示する第２ウィンドウを、前記第１ウィンドウを前記複数の被選択項目を選択可能な状態で表示したまま、前記表示部によって表示させる第２ステップとを実行する表示制御部と、
を備える電子機器。
【請求項２】
前記表示制御部は、更に、前記第１ウィンドウ及び前記第２ウィンドウが表示されている場合に、前記第１ウィンドウに表示された被選択項目のうちの一つが新たに選択されると、前記第２ウィンドウに表示されている被選択項目を、前記新たに選択された被選択項目に対して前記関連付け情報によって一つ下の階層に関連付けられた被選択項目に置き換えて、前記表示部によって表示させる第３ステップと、
を実行する請求項１に記載の電子機器。
【請求項３】
前記表示制御部は、更に、前記第１ウィンドウ及び前記第２ウィンドウが表示されている場合に、前記第２ウィンドウに表示された被選択項目のうちの一つが選択されたときは、前記選択された被選択項目に対して前記関連付け情報によって一つ下の階層に関連付けられた被選択項目を選択可能に表示する第３ウィンドウを、前記第１ウィンドウ及び前記第２ウィンドウを前記複数の被選択項目を選択可能な状態で表示したまま、前記表示部によって表示させる第４ステップと、
を実行する請求項１又は２に記載の電子機器。
【請求項４】
前記表示制御部は、更に、前記第１ウィンドウ、前記第２ウィンドウ、及び第３ウィンドウが表示されている場合に、前記第２ウィンドウに表示された被選択項目のうちの一つが新たに選択されると、前記第３ウィンドウに表示されている被選択項目を、前記新たに選択された被選択項目に対して前記関連付け情報によって一つ下の階層に関連付けられた被選択項目に置き換えて、前記表示部によって表示させる第５ステップと、
を実行する請求項３に記載の電子機器。
【請求項５】
前記表示制御部は、更に、前記第１ウィンドウ、前記第２ウィンドウ及び前記第３ウィンドウが表示されている場合に、前記第１ウィンドウに表示された被選択項目のうちの一つが新たに選択されると、前記第２ウィンドウに表示されている被選択項目を、前記新たに選択された被選択項目に対して前記関連付け情報によって一つ下の階層に関連付けられた被選択項目に置き換えて、前記表示部によって表示させた後、前記第３ウィンドウに表示されている被選択項目を、前記第２ウィンドウに表示された被選択項目のうちの予め定められた一つの被選択項目に対して前記関連付け情報によって一つ下の階層に関連付けられた被選択項目に置き換えて、前記表示部によって表示させる第６ステップと、
を実行する請求項３又は４に記載の電子機器。
【請求項６】
前記表示制御部は、前記第１ウィンドウに表示された被選択項目のうち、選択された被選択項目が表示されている領域の一点を第１の始点とし、前記第２ウィンドウの外縁の一点を第１の終点とする線画を表示させる請求項１から５の何れか一項に記載の電子機器。
【請求項７】
前記表示制御部は、前記第２ウィンドウに表示された被選択項目のうち、選択された被選択項目が表示されている領域の一点を第２の始点とし、前記第３ウィンドウの外縁の一点を第２の終点とする線画を表示させる請求項３から５の何れか一項に記載の電子機器。
【請求項８】
ユーザーが前記表示部に触れている位置の軌跡に基づく操作であるジェスチャー操作を受け付ける操作受付部を更に備え、
前記表示制御部は、前記操作受付部によって、前記第１の始点に触れたまま、前記第１ウィンドウに表示された被選択項目のうちの一つの被選択項目が表示されている領域まで移動するスワイプ操作が受け付けられた場合に、当該スワイプ操作の終了時に触れていた位置に表示されていた被選択項目が新たに選択されたものとして前記第３ステップを実行する請求項２に従属する請求項６又は７に記載の電子機器。
【請求項９】
ユーザーが前記表示部に触れている位置の軌跡に基づく操作であるジェスチャー操作を受け付ける操作受付部を更に備え、
前記表示制御部は、前記操作受付部によって、前記第２の始点に触れたまま、前記第２ウィンドウに表示された被選択項目のうちの一つの被選択項目が表示されている領域まで移動するスワイプ操作が受け付けられた場合に、当該スワイプ操作の終了時に触れていた位置に表示されていた被選択項目が新たに選択されたものとして前記第５ステップを実行する請求項４に従属する請求項７に記載の電子機器。
【請求項１０】
ユーザーが前記表示部に触れている位置の軌跡に基づく操作であるジェスチャー操作を受け付ける操作受付部を更に備え、
前記表示制御部は、前記操作受付部によって、前記第１の始点に触れたまま、前記第１ウィンドウに表示された被選択項目のうちの一つの被選択項目が表示されている領域まで移動するスワイプ操作が受け付けられた場合に、当該スワイプ操作の終了時に触れていた位置に表示されていた被選択項目が新たに選択されたものとして前記第６ステップを実行する請求項５に従属する請求項７に記載の電子機器。
【請求項１１】
請求項１から請求項１０の何れか一項に記載の電子機器と、
画像を用紙に形成する画像形成部と、
を備え、
前記被選択項目には、前記画像形成部によって画像を用紙に形成させるときにユーザーに選択させる項目が含まれる画像形成装置。
【発明の詳細な説明】
【技術分野】
【０００１】
本発明は電子機器及び画像形成装置に関し、特に、ユーザーに設定操作を行わせる技術に関する。
【背景技術】
【０００２】
従来から、電子機器に備えられた機能を実行するための設定操作に関し、例えば、機能の設定内容となり得る被選択項目が選択可能に表示されたウィンドウをディスプレイに表示して、ユーザーに被選択項目を選択させることによって、簡便に設定操作を行わせる技術が知られている。また、機能の階層に合わせてウィンドウを複数表示し、順序立てて設定操作させる技術も知られている。
【０００３】
しかし、このような技術を用いて深い階層の機能の設定を行う場合、階層が深くなる程操作しなければならないウィンドウの数が多くなり、設定操作にかかる手間が増大するという問題があった。また、上位の階層の機能の設定操作をやり直すためには、目的の機能より下位の機能の階層に対応するウィンドウを全て閉じてから、目的の機能の属する階層に対応するウィンドウが表示されるまで、順序立てて設定操作をやり直す手間が必要であった。
【０００４】
このような手間を軽減するために、例えば下記特許文献１には、画面（ディスプレイ）に表示された複数の作業ウィンドウをグループ化し、グループ化した作業ウィンドウ群を一括して閉じる技術が記載されている。
【先行技術文献】
【特許文献】
【０００５】
【特許文献１】特開２００３−８４９６５号公報
【発明の概要】
【発明が解決しようとする課題】
【０００６】
しかし、上記特許文献１に記載の技術では、設定操作をやり直す場合に目的の階層より下位の階層のウィンドウを閉じる手間は軽減されるが、目的の階層から再び下位の階層へと、ウィンドウを順序立てて表示する操作の手間が必要であった。
【０００７】
本発明は、このような事情に鑑みてなされたものであり、複数のウィンドウを階層的に表示して設定操作を順序立てて行うときの利便性を向上することができる電子機器及び画像形成装置を提供することを目的とする。
【課題を解決するための手段】
【０００８】
本発明に係る電子機器は、情報が表示される表示部と、ユーザーに選択させる項目である被選択項目をツリー状に関連付ける関連付け情報を記憶する記憶部と、複数の前記被選択項目を選択可能に表示する第１ウィンドウを前記表示部によって表示させる第１ステップと、前記第１ウィンドウに表示された被選択項目のうちの一つが選択された場合に、前記選択された被選択項目に対して前記関連付け情報によって一つ下の階層に関連付けられた被選択項目を選択可能に表示する第２ウィンドウを、前記第１ウィンドウを前記複数の被選択項目を選択可能な状態で表示したまま、前記表示部によって表示させる第２ステップとを実行する表示制御部と、を備える。
【０００９】
この構成によれば、第１ウィンドウを複数の被選択項目を選択可能な状態で表示したまま、第１ウィンドウで選択された被選択項目の一つ下の階層に関連付けられた被選択項目が選択可能に第２ウィンドウに表示される。このため、ユーザーは、第２ウィンドウが表示されたままの状態で、第１ウィンドウに表示された被選択項目を選択することができる。したがって、第１ウィンドウに表示された被選択項目を選択し直すために、第２ウィンドウを閉じる必要がなく、複数のウィンドウを階層的に表示して設定操作を順序立てて行うときの利便性が向上する。
【００１０】
また、前記表示制御部は、更に、前記第１ウィンドウ及び前記第２ウィンドウが表示されている場合に、前記第１ウィンドウに表示された被選択項目のうちの一つが新たに選択されると、前記第２ウィンドウに表示されている被選択項目を、前記新たに選択された被選択項目に対して前記関連付け情報によって一つ下の階層に関連付けられた被選択項目に置き換えて、前記表示部によって表示させる第３ステップと、を実行することが好ましい。
【００１１】
この構成によれば、第２ウィンドウが表示されたままの状態で、新たに第１ウィンドウに表示された被選択項目を新たに選択した場合に、第２ウィンドウに表示されていた被選択項目が、当該新たに選択した被選択項目に関連付けられた被選択項目に置換して表示される。このため、ユーザーは、第１ウィンドウに表示された被選択項目を選択し直した場合に、第２ウィンドウを閉じることなく即座に、第２ウィンドウに表示された当該選択し直した被選択項目に関連付けられた被選択項目を選択することができる。したがって、複数のウィンドウを階層的に表示して設定操作を順序立てて行うときの利便性が向上する。
【００１２】
また、前記表示制御部は、更に、前記第１ウィンドウ及び前記第２ウィンドウが表示されている場合に、前記第２ウィンドウに表示された被選択項目のうちの一つが選択されたときは、前記選択された被選択項目に対して前記関連付け情報によって一つ下の階層に関連付けられた被選択項目を選択可能に表示する第３ウィンドウを、前記第１ウィンドウ及び前記第２ウィンドウを前記複数の被選択項目を選択可能な状態で表示したまま、前記表示部によって表示させる第４ステップと、を実行することが好ましい。
【００１３】
この構成によれば、第１ウィンドウ及び第２ウィンドウを複数の被選択項目を選択可能な状態で表示したまま、第２ウィンドウで選択された被選択項目の一つ下の階層に関連付けられた被選択項目が選択可能に第３ウィンドウに表示される。このため、ユーザーは、第３ウィンドウが表示されたままの状態で、第１ウィンドウ及び第２ウィンドウに表示された被選択項目を選択することができる。したがって、第１ウィンドウ及び第２ウィンドウに表示された被選択項目を選択し直すために、第３ウィンドウを閉じる必要がなく、複数のウィンドウを階層的に表示して設定操作を順序立てて行うときの利便性が向上する。
【００１４】
また、前記表示制御部は、更に、前記第１ウィンドウ、前記第２ウィンドウ、及び第３ウィンドウが表示されている場合に、前記第２ウィンドウに表示された被選択項目のうちの一つが新たに選択されると、前記第３ウィンドウに表示されている被選択項目を、前記新たに選択された被選択項目に対して前記関連付け情報によって一つ下の階層に関連付けられた被選択項目に置き換えて、前記表示部によって表示させる第５ステップと、を実行することが好ましい。
【００１５】
この構成によれば、第３ウィンドウが表示されたままの状態で、新たに第２ウィンドウに表示された被選択項目を新たに選択した場合に、第３ウィンドウに表示されていた被選択項目が、当該新たに選択した被選択項目に関連付けられた被選択項目に置換して表示される。このため、ユーザーは、第２ウィンドウに表示された被選択項目を選択し直した場合に、第３ウィンドウを閉じることなく即座に、第３ウィンドウに表示された当該選択し直した被選択項目に関連付けられた被選択項目を選択することができる。したがって、複数のウィンドウを階層的に表示して設定操作を順序立てて行うときの利便性が向上する。
【００１６】
また、前記表示制御部は、更に、前記第１ウィンドウ、前記第２ウィンドウ及び前記第３ウィンドウが表示されている場合に、前記第１ウィンドウに表示された被選択項目のうちの一つが新たに選択されると、前記第２ウィンドウに表示されている被選択項目を、前記新たに選択された被選択項目に対して前記関連付け情報によって一つ下の階層に関連付けられた被選択項目に置き換えて、前記表示部によって表示させた後、前記第３ウィンドウに表示されている被選択項目を、前記第２ウィンドウに表示された被選択項目のうちの予め定められた一つの被選択項目に対して前記関連付け情報によって一つ下の階層に関連付けられた被選択項目に置き換えて、前記表示部によって表示させる第６ステップと、を実行することが好ましい。
【００１７】
この構成によれば、第１ウィンドウ、第２ウィンドウ及び第３ウィンドウが表示されたままの状態で、第１ウィンドウに表示された被選択項目を新たに選択した場合、第２ウィンドウに表示されていた被選択項目が、当該新たに選択した被選択項目に関連付けられた被選択項目に置換して表示される。そして、第２ウィンドウに表示された被選択項目のうちの予め定められた一つの被選択項目に関連付けられた被選択項目が第３ウィンドウに表示される。このため、ユーザーは、第１ウィンドウに表示された被選択項目を選択し直した場合に、第２ウィンドウ及び第３ウィンドウを閉じることなく即座に、第２ウィンドウ及び第３ウィンドウに表示された当該選択し直した被選択項目に関連付けられた被選択項目を選択することができる。したがって、複数のウィンドウを階層的に表示して設定操作を順序立てて行うときの利便性が向上する。
【００１８】
また、前記表示制御部は、前記第１ウィンドウに表示された被選択項目のうち、選択された被選択項目が表示されている領域の一点を第１の始点とし、前記第２ウィンドウの外縁の一点を第１の終点とする線画を表示させることが好ましい。
【００１９】
この構成によれば、第１ウィンドウにおいて選択された被選択項目と第２ウィンドウとの関係が線画によって可視化される。このため、ユーザーは、第２ウィンドウに表示されている被選択項目が、第１ウィンドウに表示された被選択項目のうちの、何れの被選択項目と関連付けられているのかを直感的に把握することができる。
【００２０】
したがって、例えば、第１ウィンドウに表示された複数の被選択項目のそれぞれに対して、一つ下の階層に関連付けられた被選択項目の内容が全て同じであった場合等、ユーザーが、第２ウィンドウに表示されている被選択項目が第１ウィンドウに表示された何れの被選択項目に関連付けられたものであるかを誤って判断する虞を軽減することができる。これによって、ユーザーが第２ウィンドウに表示された被選択項目を誤って選択する虞を軽減することができる。
【００２１】
また、前記表示制御部は、前記第２ウィンドウに表示された被選択項目のうち、選択された被選択項目が表示されている領域の一点を第２の始点とし、前記第３ウィンドウの外縁の一点を第２の終点とする線画を表示させることが好ましい。
【００２２】
この構成によれば、第２ウィンドウにおいて選択された被選択項目と第３ウィンドウとの関係が線画によって可視化される。このため、ユーザーは、第３ウィンドウに表示されている被選択項目が、第２ウィンドウに表示された被選択項目のうちの、何れの被選択項目と関連付けられているのかを直感的に把握することができる。
【００２３】
したがって、例えば、第２ウィンドウに表示された複数の被選択項目のそれぞれに対して、一つ下の階層に関連付けられた被選択項目の内容が全て同じであった場合等、ユーザーが、第３ウィンドウに表示されている被選択項目が第２ウィンドウに表示された何れの被選択項目に関連付けられたものであるかを誤って判断する虞を軽減することができる。これによって、ユーザーが第３ウィンドウに表示された被選択項目を誤って選択する虞を軽減することができる。
【００２４】
また、ユーザーが前記表示部に触れている位置の軌跡に基づく操作であるジェスチャー操作を受け付ける操作受付部を更に備え、前記表示制御部は、前記操作受付部によって、前記第１の始点に触れたまま、前記第１ウィンドウに表示された被選択項目のうちの一つの被選択項目が表示されている領域まで移動するスワイプ操作が受け付けられた場合に、当該スワイプ操作の終了時に触れていた位置に表示されていた被選択項目が新たに選択されたものとして前記第３ステップを実行することが好ましい。
【００２５】
この構成によれば、ユーザーは、線画の第１の始点に触れたままスワイプ操作することによって、第１ウィンドウにおいて選択された被選択項目と第２ウィンドウとの関連付けを変更することを意識しながら、第１ウィンドウにおいて表示された被選択項目を新たに選択することができる。したがって、その後、第３ステップが実行されることによって、第２ウィンドウに表示された被選択項目が、第１ウィンドウにおいて新たに選択した被選択項目に関連付けられていることを誤って判断する虞が軽減される。
【００２６】
また、ユーザーが前記表示部に触れている位置の軌跡に基づく操作であるジェスチャー操作を受け付ける操作受付部を更に備え、前記表示制御部は、前記操作受付部によって、前記第２の始点に触れたまま、前記第２ウィンドウに表示された被選択項目のうちの一つの被選択項目が表示されている領域まで移動するスワイプ操作が受け付けられた場合に、当該スワイプ操作の終了時に触れていた位置に表示されていた被選択項目が新たに選択されたものとして前記第５ステップを実行することが好ましい。
【００２７】
この構成によれば、ユーザーは、線画の第２の始点に触れたままスワイプ操作することによって、第２ウィンドウにおいて選択された被選択項目と第３ウィンドウとの関連付けを変更することを意識しながら、第２ウィンドウにおいて表示された被選択項目を新たに選択することができる。したがって、その後、第５ステップが実行されることによって、第３ウィンドウに表示された被選択項目が、第２ウィンドウにおいて新たに選択した被選択項目に関連付けられていることを誤って判断する虞が軽減される。
【００２８】
また、ユーザーが前記表示部に触れている位置の軌跡に基づく操作であるジェスチャー操作を受け付ける操作受付部を更に備え、前記表示制御部は、前記操作受付部によって、前記第１の始点に触れたまま、前記第１ウィンドウに表示された被選択項目のうちの一つの被選択項目が表示されている領域まで移動するスワイプ操作が受け付けられた場合に、当該スワイプ操作の終了時に触れていた位置に表示されていた被選択項目が新たに選択されたものとして前記第６ステップを実行することが好ましい。
【００２９】
この構成によれば、ユーザーは、第１ウィンドウ、第２ウィンドウ、及び第３ウィンドウが表示されている場合に、線画の第１の始点に触れたままスワイプ操作することによって、第１ウィンドウにおいて選択された被選択項目と第２ウィンドウとの関連付けを変更することを意識しながら、第１ウィンドウにおいて表示された被選択項目を新たに選択することができる。したがって、その後、第６ステップが実行されることによって、第２ウィンドウ及び第３ウィンドウに表示された被選択項目が、第１ウィンドウにおいて新たに選択した被選択項目に関連付けられていることを誤って判断する虞が軽減される。
【００３０】
また、本発明に係る画像形成装置は、上述の電子機器と、画像を用紙に形成する画像形成部と、を備え、前記被選択項目には、前記画像形成部によって画像を用紙に形成させるときにユーザーに選択させる項目が含まれる画像形成装置。
【００３１】
この構成によれば、上述の電子機器を備えているため、画像形成部によって画像を用紙に形成させるときにユーザーに選択させる被選択項目を含む複数のウィンドウを表示して設定操作を順序立てて行うときの利便性を向上することができる。
【発明の効果】
【００３２】
本発明によれば、複数のウィンドウを表示して設定操作を順序立てて行うときの利便性を向上することができる電子機器及び画像形成装置を提供することが可能になる。
【図面の簡単な説明】
【００３３】
【図１】本発明に係る画像形成装置の一例である複合機の概略構造図。
【図２】操作部の一例を示す説明図。
【図３】複合機の電気的構成の一例を示すブロック図。
【図４】記憶部に記憶されている関連付け情報の一例を示す説明図。
【図５】被選択項目をユーザーに選択操作させる動作の前半の一例を示すフローチャート。
【図６】被選択項目をユーザーに選択操作させる動作の後半の一例を示すフローチャート。
【図７】第１ステップ及び第２ステップの動作の一例を示す説明図。
【図８】第３ステップの動作の一例を示す説明図。
【図９】第４ステップの動作の一例を示す説明図。
【図１０】第５ステップの動作の一例を示す説明図。
【図１１】第６ステップの動作の一例を示す説明図。
【発明を実施するための形態】
【００３４】
以下、本発明に係る実施形態を図面に基づいて説明する。図１は、本発明に係る画像形成装置の一例である複合機１の概略構造図である。
【００３５】
図１に示すように、複合機１は、原稿読取部５と、原稿給送部６と、本体部８と、操作部７と、を備えている。
【００３６】
原稿読取部５は、本体部８の上部に配設されている。原稿読取部５は、露光ランプ及びＣＣＤ（Charge Coupled Device）等からなるスキャナー部５１と、ガラス等の透明部材により構成された原稿台５２及び原稿読取スリット５３と、を備えている。
【００３７】
スキャナー部５１は、図略の駆動部によって移動可能に構成され、原稿台５２に載置された原稿を読み取るときは、原稿台５２に対向する位置で原稿面に沿って移動され、原稿の画像を走査しつつ取得した画像データを後述の制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを後述の制御部１０へ出力する。
【００３８】
原稿給送部６は、原稿読取部５の上方に配設されている。原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３と、を備えている。
【００３９】
本体部８は、複数の給紙カセット４６１と、給紙カセット４６１又は手差しトレイ４６２から用紙を１枚ずつ繰り出して画像形成部４へ搬送する給紙ローラー４１２と、搬出されてきた用紙に画像を形成する画像形成部４と、画像が形成された用紙が排出されるスタックトレイ４７及び排出トレイ４８と、を備えている。
【００４０】
画像形成部４は、用紙搬送部４１と、光走査装置４２と、感光体ドラム４３と、現像部４４と、転写部４５と、定着部４６と、を備えている。
【００４１】
用紙搬送部４１は、画像形成部４内の用紙搬送路中に設けられ、給紙ローラー４１２によって搬送されてきた用紙を感光体ドラム４３に供給する搬送ローラー４１３や、用紙をスタックトレイ４７まで搬送する搬送ローラー４１４や、用紙を排出トレイ４８まで搬送する搬送ローラー４１５等を備えている。
【００４２】
光走査装置４２は、制御部１０に入力された画像データに基づいてレーザー光を出力する。光走査装置４２は、このレーザー光によって感光体ドラム４３を走査することで、感光体ドラム４３上に静電潜像を形成する。
【００４３】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００４４】
操作部７は、複合機１の正面部に設けられ、ユーザーによる種々の操作指示を入力可能に構成されている。図２は、操作部７の一例を示す説明図である。図２に示すように、操作部７には、タッチパネル装置７１、インジケーター７２ａ〜７２ｆ、入力キー７３ａ〜７３ｄ、スイッチ７４ａ〜７４ｍ、スタートキー７５、ストップキー７６、及びリセットキー７７が設けられている。
【００４５】
タッチパネル装置（表示部）７１は、タッチパネル機能を有する液晶ディスプレイＰを備えている。タッチパネル装置７１は、このタッチパネル機能によって、液晶ディスプレイＰに表示されたソフトキーがユーザーによって触れられたときには、そのソフトキーの押下操作の指示を受け付ける。また、タッチパネル装置７１は、このタッチパネル機能によって、ジェスチャー操作の指示として、液晶ディスプレイＰ上でユーザーによって触れられている位置の軌跡を受け付ける。タッチパネル装置７１によって受け付けられた軌跡情報に基づいて、後述する制御部１０によって、ジェスチャー操作の指示が受け付けられる。
【００４６】
例えば、タッチパネル装置７１には、液晶ディスプレイＰを軽く叩くタップ操作、液晶ディスプレイＰを２本の指で摘むように操作し、又は、摘んだ状態から２本の指を広げるように操作するピンチ操作、液晶ディスプレイＰに指を触れた状態でそのまま指を滑らせるスワイプ操作、液晶ディスプレイＰを軽く払うように指を動かすフリック操作、等のジェスチャー操作の指示が入力される。
【００４７】
インジケーター７２ａ〜７２ｆは、発光ダイオードなどからなり、点滅或いは点灯／消灯することによって、複合機１の状態を示す。例えば、インジケーター７２ａは印刷中に点滅し、インジケーター７２ｂは外部にデータを送信中に点滅し、インジケーター７２ｃは外部からデータを受信中に点滅する。インジケーター７２ｄは複合機１内に備えられたハードディスクやメモリー等に記憶されているデータにアクセス中に点滅する。インジケーター７２ｅは異常が発生した場合に点灯又は点滅する。インジケーター７２ｆは複合機１に電源が投入されているときに点灯する。
【００４８】
入力キー７３ａ〜７３ｄは、数字や記号を入力したり、入力済みの文字列を消去又は確定するために設けられている。例えば、入力キー７３ａは、所謂置数キー群であり、数字や記号を入力するために設けられている。入力キー７３ｂは、所謂クリアキーであり、入力済みの文字列を消去するために設けられている。入力キー７３ｃは、所謂短縮キーであり、予めメモリー等に記憶済みの文字列を読み出して入力するために設けられている。入力キー７３ｄは、所謂エンターキー（リターンキー）であり、文字列の入力指示やソフトキーの選択指示等を確定するために設けられている。
【００４９】
スイッチ７４ａ〜７４ｍは、複合機１に備えられた各機能を切り替えるスイッチである。例えば、代表的なものとして、スイッチ７４ａは、複合機１の動作全般に関わる初期設定を行うためのシステムメニュー機能に切り替えて、ユーザーに初期設定の設定操作を行わせるためのウィンドウを、液晶ディスプレイＰに表示するスイッチである。以下、スイッチ７４ａをシステムメニューボタン７４ａと称す。
【００５０】
スイッチ７４ｊは、スキャナー部５１で読み取られた画像データによって表される画像を画像形成部４によって用紙に形成させるコピー機能に切り替えて、コピー機能に関わる設定内容をユーザーに設定操作させるためのウィンドウを、液晶ディスプレイＰに表示するスイッチである。スイッチ７４ｋは、スキャナー部５１で読み取られた画像データを後述の通信部９を介して外部に送信する送信機能に切り替え、送信機能に関わる設定内容をユーザーに設定操作させるためのウィンドウを、液晶ディスプレイＰに表示するスイッチである。
【００５１】
スタートキー７５は、各種機能の動作を開始するために設けられている。ストップキー７６は、各種機能の動作を停止するために設けられている。リセットキー７７は、各種機能の設定内容を初期状態に戻すために設けられている。
【００５２】
図３は、複合機１の電気的構成の一例を示すブロック図である。複合機１は、上記原稿読取部５、上記原稿給送部６、上記画像形成部４、上記操作部７、通信部９、及び制御部１０等の各部が相互に通信可能なように接続されている。以下、図１及び図２と同じ符号を付した部分については、特筆しない限り、説明を省略する。
【００５３】
通信部９は、ファクシミリ通信部９１及びネットワークＩ／Ｆ部９３を備えている。ファクシミリ通信部９１は、電話回線９５に接続されている。ファクシミリ通信部９１は、相手先ファクシミリとの電話回線の接続を制御するＮＣＵ（Network Control Unit）及びファクシミリ通信用の信号を変復調する変復調回路を備えている。ファクシミリ通信部９１は、原稿読取部５によって読み取られた画像データを電話回線９５を介して他のファクシミリ装置へ送信したり、他のファクシミリ装置から送信されてきた画像データを受信する。
【００５４】
ネットワークＩ／Ｆ部９３は、ＬＡＮ（Local Area Network）９７に接続されている。ネットワークＩ／Ｆ部９３はＬＡＮ９７に接続されたパソコン等の端末装置との間で通信を実行するための通信インターフェイス回路である。ネットワークＩ／Ｆ部９３は、原稿読取部５によって読み取られた画像データを、ＬＡＮ９７を介してパーソナルコンピュータ等の外部のコンピューターへ送信したり、外部のコンピューターから送信されてきた画像データを受信する。
【００５５】
制御部１０は、例えば、所定の演算処理を実行するＣＰＵ（Central Processing Unit）、所定の制御プログラムが記憶されたＲＯＭ（Read Only Memory）やデータを一時的に記憶するＲＡＭ（Random Access Memory）等のメモリー、画像データ等の各種データを記憶するＨＤＤ（Hard Disk Drive）等の記憶媒体、画像処理等の所定の処理を高速処理可能に構成された専用ハードウェアであるＡＳＩＣ（Application Specific Integrated Circuits）、及び、これらの周辺回路等を備えている。制御部１０は、ＲＯＭ等に記憶された制御プログラムをＣＰＵによって実行することによって各種処理を実行し、複合機１内の各部の動作を制御する。
【００５６】
制御部１０は、ユーザーに設定操作を行わせる制御に関して、特に、操作受付部１１、記憶部１２、表示制御部１３として機能する。
【００５７】
操作受付部１１は、スイッチ７４ａ〜７４ｍ等の押下操作や、タッチパネル装置７１のタッチパネル機能によって入力されたジェスチャー操作等、ユーザーによる操作部７を用いた種々の操作指示の入力を受け付ける。
【００５８】
記憶部１２は、例えばＲＯＭによって構成され、ユーザーに設定操作を行わせるときに、ユーザーに選択させるソフトキーとして液晶ディスプレイＰに表示される被選択項目をツリー状に関連付ける関連付け情報を予め記憶する。
【００５９】
図４は、記憶部１２に記憶されている関連付け情報の一例を示す説明図である。例えば、図４に示すように、記憶部１２には、システムメニュー機能に関わる被選択項目がツリー状に階層的に関連付けて記憶されている。
【００６０】
具体的には、システムメニュー機能を示す情報Ｔ１がルートとして記憶されている。そして、当該情報Ｔ１の１つ下の第１階層に関連付けて、原稿／用紙設定機能の設定操作を行わせるために選択させる被選択項目Ｔ１１、共通設定機能の設定操作を行わせるために選択させる被選択項目Ｔ１２、コピー機能の設定操作を行わせるために選択させる被選択項目Ｔ１３、送信機能の設定操作を行わせるために選択させる被選択項目Ｔ１４等のｎ個の被選択項目Ｔ１１〜Ｔ１ｎが記憶されている。
【００６１】
そして、コピー機能に対応する被選択項目Ｔ１３に関連付けて、当該被選択項目Ｔ１３が属する第１階層の一つ下の階層である第２階層には、コピー機能の詳細機能を設定操作させるために選択させる３つの被選択項目Ｔ１３１〜Ｔ１３３が記憶されている。被選択項目Ｔ１３１は、自動用紙動作設定機能の設定操作を行わせるために選択させる被選択項目である。被選択項目Ｔ１３２は、自動倍率優先機能の設定操作を行わせるために選択させる被選択項目である。被選択項目Ｔ１３３は、特定用紙種類の動作設定機能の設定操作を行わせるために選択させる被選択項目である。
【００６２】
更に、自動用紙動作設定機能に対応する被選択項目Ｔ１３１に関連付けて、当該被選択項目Ｔ１３１の一つ下の階層の第３階層には、自動用紙動作設定機能の設定内容となり得る選択肢として選択させる、オフに対応する被選択項目Ｔ１３１１と、オンに対応する被選択項目Ｔ１３１２とが記憶されている。
【００６３】
同様に、自動倍率優先機能に対応する被選択項目Ｔ１３２の一つ下の階層に関連付けて、自動倍率優先機能の設定内容となり得る選択肢として選択させる、オフに対応する被選択項目Ｔ１３２１と、オンに対応する被選択項目Ｔ１３２２とが記憶されている。また、特定用紙種類の動作設定機能に対応する被選択項目Ｔ１３３の一つ下の階層に関連付けて、特定用紙種類の動作設定機能の設定内容となり得る選択肢として選択させる、速度優先に対応する被選択項目Ｔ１３３１と、印刷方向を合わせるに対応する被選択項目Ｔ１３３２とが記憶されている。
【００６４】
同様に、送信機能に対応する被選択項目Ｔ１４の一つ下の階層に関連付けて、送信機能に関わる詳細機能を設定操作させるために選択させる、４つの被選択項目Ｔ１４１〜Ｔ１４４が記憶されている。被選択項目Ｔ１４１は、送信前の宛先確認機能の設定操作を行わせるために選択させる被選択項目である。被選択項目Ｔ１４２は、新規宛先の入力確認機能の設定操作を行わせるために選択させる被選択項目である。被選択項目Ｔ１４３は、カラー方式機能の設定操作を行わせるために選択させる被選択項目である。被選択項目Ｔ１４４は、初期画面機能の設定操作を行わせるために選択させる被選択項目である。
【００６５】
そして、送信前の宛先確認機能に対応する被選択項目Ｔ１４１の一つ下の階層に関連付けて、送信前の宛先確認機能の設定内容となり得る選択肢として選択させる、オフに対応する被選択項目Ｔ１４１１とオンに対応する被選択項目Ｔ１４１２とが記憶されている。また、新規宛先の入力確認機能に対応する被選択項目Ｔ１４２の一つ下の階層に関連付けて、新規宛先の入力確認機能の設定内容となり得る選択肢として選択させる、オフに対応する被選択項目Ｔ１４２１とオンに対応する被選択項目Ｔ１４２２とが記憶されている。また、カラー方式機能に対応する被選択項目Ｔ１４３の一つ下の階層に関連付けて、カラー方式機能の設定内容となり得る選択肢として選択させる、ＲＧＢに対応する被選択項目Ｔ１４３１と、ｓＲＧＢに対応する被選択項目Ｔ１４３２とが記憶されている。また、初期画面機能に対応する被選択項目Ｔ１４４の一つ下の階層に関連付けて、初期画面機能の設定内容となり得る選択肢として選択させる、宛先画面に対応する被選択項目Ｔ１４４１と、アドレス帳に対応する被選択項目Ｔ１４４２とが記憶されている。
【００６６】
図３に戻り、表示制御部１３は、ユーザーに各種の設定操作を行わせるために、記憶部１２に記憶されている関連付け情報を用いて、被選択項目を選択可能に表示するウィンドウを、タッチパネル装置７１によって液晶ディスプレイＰに表示させる制御を行う。
【００６７】
以下、図５及び図６を用いて、被選択項目をユーザーに選択操作させる動作について説明するとともに、図４及び図７〜１１を用いて、当該動作時に表示制御部１３によって行われるウィンドウの表示制御について説明する。図５は、被選択項目をユーザーに選択操作させる動作の前半の一例を示すフローチャートである。図６は、被選択項目をユーザーに選択操作させる動作の後半の一例を示すフローチャートである。
【００６８】
例えば、図５に示すように、システムメニュー機能を動作させるために、ユーザーによってシステムメニューボタン７４ａの押下操作が行われると、操作受付部１１によってシステムメニュー機能の設定操作を行うためのウィンドウの表示指示が受け付けられる（Ｓ１）。
【００６９】
図７は、ステップＳ２（第１ステップ）及びステップＳ４（第２ステップ）の動作の一例を示す説明図である。ステップＳ１において、システムメニュー機能の設定操作を行うためのウィンドウの表示指示が受け付けられると、表示制御部１３は、システムメニュー機能を示す情報Ｔ１をルートとする関連付け情報を記憶部１２から取得する。そして、表示制御部１３は、上記関連付け情報を用いて、例えば図７（ａ）に示すように、システムメニュー機能を示す情報Ｔ１の一つ下の階層に関連付けられた４個の被選択項目Ｔ１１〜Ｔ１４のそれぞれに対応するタッチ操作可能なソフトキーＳＫ１１〜ＳＫ１４が表示された第１ウィンドウＷ１を、タッチパネル装置７１によって液晶ディスプレイＰに表示させる（Ｓ２、第１ステップ）。以下、説明の便宜上、ウィンドウ等をタッチパネル装置７１によって液晶ディスプレイＰに表示させることを、ウィンドウ等を表示すると称す。
【００７０】
このように第１ウィンドウＷ１は、同時に４つのソフトキーのみが表示可能に構成されている。ただし、第１ウィンドウＷ１は、第１ウィンドウＷ１に表示されている４つのソフトキーの何れかをタッチ操作したまま、液晶ディスプレイＰの垂直方向にスワイプ操作すること等によって、表示されていない他の被選択項目に対応するソフトキーをスクロール表示可能に構成されている。
【００７１】
図５に戻り、第１ウィンドウＷ１に表示されたソフトキーＳＫ１１〜ＳＫ１４のうちの一つとして、例えば、コピー機能に対応するソフトキーＳＫ１３がタッチ操作されると、表示制御部１３は、当該タッチ操作されたソフトキーＳＫ１３に対応する被選択項目Ｔ１３がユーザーによって選択されたものと判断する（Ｓ３；ＹＥＳ）。
【００７２】
そして、表示制御部１３は、上記の関連付け情報を用いて、例えば図７（ｂ）に示すように、当該選択された被選択項目Ｔ１３の一つ下の階層に関連付けられた被選択項目Ｔ１３１〜Ｔ１３３に対応するタッチ操作可能なソフトキーＳＫ１３１〜ＳＫ１３３が表示された第２ウィンドウＷ２を、第１ウィンドウＷ１のソフトキーＳＫ１１〜ＳＫ１４を全てタッチ操作可能な状態で表示したまま表示する（Ｓ４、第２ステップ）。
【００７３】
また、表示制御部１３は、ステップＳ４において、第１ウィンドウＷ１に表示されたソフトキーＳＫ１１〜ＳＫ１４のうち、ステップＳ３でタッチ操作されたソフトキーＳＫ１３が表示されている領域の一点を第１の始点ＳＰ１とし、第２ウィンドウＷ２の外縁の一点を第１の終点ＥＰ１とする線画Ｇ１を表示する。
【００７４】
尚、第２ウィンドウＷ２も、第１ウィンドウＷ１と同様に、同時に４つのソフトキーの表示が可能に構成され、また、スワイプ操作等によって、表示されていない他のソフトキーをスクロール表示可能に構成されている。
【００７５】
また、表示制御部１３は、例えば図７（ｂ）に示すように、ソフトキーＳＫ１３１〜ＳＫ１３３（例えば、「自動用紙動作設定」に対応するソフトキーＳＫ１３１）に、ソフトキーＳＫ１３１〜ＳＫ１３３のそれぞれに対応する機能の設定内容を示す情報（例えば、ソフトキーＳＫ１３１の場合「最適サイズ」）を表示する。
【００７６】
尚、当該機能の設定内容を示す情報は、当該機能の設定内容となりうる選択肢として選択させる被選択項目のうちの予め定められた何れか一つであり、当該機能の情報と組み合わせてＲＯＭに記憶されている。ただし、後述するように、ユーザーによって被選択項目が選択されることによって、機能の設定内容を示す情報が確定された場合は、当該確定された機能の情報及び設定内容の情報の組み合わせがＲＡＭに記憶されているため、表示制御部１３は、当該ＲＡＭに記憶されている設定内容の情報を上記のＲＯＭに予め記憶されている設定内容の情報よりも優先して表示する。
【００７７】
図８は、ステップＳ６（第３ステップ）の動作の一例を示す説明図である。例えば図８（ａ）に示すように、第１ウィンドウＷ１及び第２ウィンドウＷ２が表示されている場合に、第１ウィンドウＷ１に表示されたソフトキーＳＫ１１〜ＳＫ１４のうちの一つとして、例えば送信機能に対応するソフトキーＳＫ１４が新たにタッチ操作されると、表示制御部１３は、当該ソフトキーＳＫ１４に対応する被選択項目Ｔ１４が新たに選択されたものと判断する（Ｓ５；ＹＥＳ）。
【００７８】
そして、表示制御部１３は、第２ウィンドウＷ２に表示されていたソフトキーＳＫ１３１〜ＳＫ１３３を、例えば図８（ｂ）に示すように、上記の関連付け情報を用いて、当該新たに選択された被選択項目Ｔ１４の一つ下の階層に関連付けられた被選択項目Ｔ１４１〜Ｔ１４４のそれぞれに対応するソフトキーＳＫ１４１〜ＳＫ１４４に置き換えて表示する（Ｓ６、第３ステップ）。
【００７９】
また、表示制御部１３は、ステップＳ６において、線画Ｇ１の始点ＳＰ１を、ステップＳ５でタッチ操作されたソフトキーＳＫ１４が表示されている領域の一点に変更し、線画Ｇ１の終点ＥＰ１を、第２ウィンドウＷ２の外縁における、線画Ｇ１の始点ＳＰ１と同じ垂直方向の高さの一点に変更して表示する。ただし、これに限定する趣旨ではなく、表示制御部１３は、線画Ｇ１の始点ＳＰ１のみ変更し、線画Ｇ１の終点ＥＰ１を変更しないようにして、線画Ｇ１を表示するように構成してもよい。
【００８０】
また、表示制御部１３は、ステップＳ４と同様に、ステップＳ６において、例えば図８（ｂ）に示すように、ソフトキーＳＫ１４１〜ＳＫ１４４（例えば、「送信前の宛先確認」に対応するソフトキーＳＫ１４１）に、ソフトキーＳＫ１４１〜ＳＫ１４４のそれぞれに対応する機能の設定内容を示す情報（例えば、ソフトキーＳＫ１４１の場合「オフ」）を表示する。
【００８１】
図９は、ステップＳ８（第４ステップ）の動作の一例を示す説明図である。例えば図９（ａ）に示すように、第１ウィンドウＷ１及び第２ウィンドウＷ２が表示されている場合に、第２ウィンドウＷ２に表示されたソフトキーＳＫ１３１〜ＳＫ１３３のうちの一つとして、例えば自動倍率優先機能に対応するソフトキーＳＫ１３２がタッチ操作されると、表示制御部１３は、当該ソフトキーＳＫ１３２に対応する被選択項目Ｔ１３２が新たに選択されたものと判断する（Ｓ７；ＹＥＳ）。
【００８２】
そして、表示制御部１３は、上記関連付け情報を用いて、例えば図９（ｂ）に示すように、新たに選択された被選択項目Ｔ１３２の一つ下の階層に関連付けられた被選択項目Ｔ１３２１〜Ｔ１３２２に対応するタッチ操作可能なソフトキーＳＫ１３２１〜ＳＫ１３２２が表示された第３ウィンドウＷ３を、第１ウィンドウＷ１及び第２ウィンドウＷ２に表示された全てのソフトキーをタッチ操作可能な状態で表示したまま表示する（Ｓ８、第４ステップ）。
【００８３】
また、表示制御部１３は、ステップＳ８において、第２ウィンドウＷ２に表示されたソフトキーＳＫ１３１〜ＳＫ１３３のうち、ステップＳ７でタッチ操作されたソフトキーＳＫ１３２が表示されている領域の一点を第２の始点ＳＰ２とし、第３ウィンドウＷ３の外縁の一点を第２の終点ＥＰ２とする線画Ｇ２を表示する。
【００８４】
また、表示制御部１３は、ステップＳ８において、第３ウィンドウＷ３にタッチ操作可能な状態でＯＫボタンＳＫＯＫを表示する。尚、ＯＫボタンＳＫＯＫを押下したときの動作については、後述のステップＳ１５の説明において詳述する。
【００８５】
また、第３ウィンドウＷ３も、第１ウィンドウＷ１及び第２ウィンドウＷ２と同様に、同時に４つのソフトキーの表示が可能に構成され、また、スワイプ操作等によって、表示されていない他のソフトキーをスクロール表示可能に構成されている。
【００８６】
一方、第２ウィンドウＷ２に表示されたソフトキーの何れもがタッチ操作されていない場合（Ｓ７；ＮＯ）、ステップＳ５に戻る。
【００８７】
続いて、図６を用いて被選択項目をユーザーに選択操作させる動作の後半の一例について説明する。また、図１０は、ステップＳ１０（第５ステップ）の動作の一例を示す説明図である。例えば図１０（ａ）に示すように、第１ウィンドウＷ１、第２ウィンドウＷ２及び第３ウィンドウＷ３が表示されている場合に、第２ウィンドウＷ２に表示されたソフトキーＳＫ１３１〜ＳＫ１３３のうちの一つとして、例えばソフトキーＳＫ１３３が新たにタッチ操作されると、表示制御部１３は、当該ソフトキーＳＫ１３３に対応する被選択項目Ｔ１３３が新たに選択されたものと判断する（Ｓ９；ＹＥＳ）。
【００８８】
そして、表示制御部１３は、第３ウィンドウＷ３に表示されていたソフトキーＳＫ１３２１〜ＳＫ１３２２を、例えば図１０（ｂ）に示すように、上記の関連付け情報を用いて、当該新たに選択された被選択項目Ｔ１３３の一つ下の階層に関連付けられた被選択項目Ｔ１３３１〜Ｔ１３３２のそれぞれに対応するソフトキーＳＫ１３３１〜ＳＫ１３３２に置き換えて表示する（Ｓ１０、第５ステップ）。
【００８９】
また、表示制御部１３は、ステップＳ１０において、線画Ｇ２の始点ＳＰ２を、ステップＳ９でタッチ操作されたソフトキーＳＫ１３３が表示されている領域の一点に変更し、線画Ｇ２の終点ＥＰ２を、第３ウィンドウＷ３の外縁における、線画Ｇ２の始点ＳＰ２と同じ垂直方向の高さの一点に変更して表示する。ただし、これに限定する趣旨ではなく、表示制御部１３は、線画Ｇ２の始点ＳＰ２のみ変更し、線画Ｇ２の終点ＥＰ２を変更しないようにして、線画Ｇ２を表示するように構成してもよい。
【００９０】
図１１は、ステップＳ１２及びステップＳ１３（第６ステップ）の動作の一例を示す説明図である。例えば図１１（ａ）に示すように、第１ウィンドウＷ１、第２ウィンドウＷ２及び第３ウィンドウＷ３が表示されている場合に、第１ウィンドウＷ１に表示されたソフトキーＳＫ１１〜ＳＫ１４のうちの一つとして、例えば、送信機能に対応するソフトキーＳＫ１４が新たにタッチ操作されると、表示制御部１３は、当該ソフトキーＳＫ１４に対応する被選択項目Ｔ１４が新たに選択されたものと判断する（Ｓ１１；ＹＥＳ）。
【００９１】
そして、表示制御部１３は、第２ウィンドウＷ２に表示されていたソフトキーＳＫ１３１〜ＳＫ１３３を、例えば図１１（ｂ）に示すように、上記の関連付け情報を用いて、当該新たに選択された被選択項目Ｔ１４の一つ下の階層に関連付けられた被選択項目Ｔ１４１〜Ｔ１４４のそれぞれに対応するソフトキーＳＫ１４１〜ＳＫ１４４に置き換えて表示する（Ｓ１２、第６ステップの前半）。
【００９２】
そして、表示制御部１３は、ステップＳ１２の実行後、第２ウィンドウＷ２に置き換えて表示したソフトキーＳＫ１４１〜ＳＫ１４４のうちの予め定められた一つとして、例えば先頭のソフトキーＳＫ１４１がタッチ操作されたものとみなし、つまり、当該ソフトキーＳＫ１４１に対応する被選択項目Ｔ１４１が選択されたものとみなす。そして、表示制御部１３は、第３ウィンドウＷ３に表示されていたソフトキーＳＫ１３３１〜ＳＫ１３３２を、例えば図１１（ｂ）に示すように、上記の関連付け情報を用いて、当該選択されたものとみなした被選択項目Ｔ１４１の一つ下の階層に関連付けられた、被選択項目Ｔ１４１１〜Ｔ１４１２のそれぞれに対応するソフトキーＳＫ１４１１〜ＳＫ１４１２に置き換えて表示する（Ｓ１３、第６ステップの後半）。
【００９３】
尚、ステップＳ１３において、選択されたものとみなされる被選択項目は、上記の関連付け情報において、ステップＳ１１において新たに選択された被選択項目の一つ下の階層に関連付けられた被選択項目のうちの何れか一つとして予め定められ、ＲＯＭ等に記憶されている。つまり、表示制御部１３は、ステップＳ１３において、当該ＲＯＭ等に記憶されている予め定められた被選択項目に対応するソフトキーがタッチ操作されたものとみなし、つまり、当該予め定められた被選択項目が選択されたものとみなすように構成されている。
【００９４】
また、表示制御部１３は、ステップＳ１３において、線画Ｇ２の始点ＳＰ２を、ステップＳ１３でタッチ操作されたものとみなしたソフトキーＳＫ１４１が表示されている領域の一点に変更し、線画Ｇ２の終点ＥＰ２を、第３ウィンドウＷ３の外縁における、線画Ｇ２の始点ＳＰ２と同じ垂直方向の高さの一点に変更して表示する。ただし、これに限定する趣旨ではなく、表示制御部１３は、線画Ｇ２の始点ＳＰ２のみ変更し、線画Ｇ２の終点ＥＰ２を変更しないようにして、線画Ｇ２を表示するように構成してもよい。
【００９５】
そして、制御部１０は、第３ウィンドウＷ３に表示されたソフトキーの何れかがタッチ操作された状態で（例えば図９（ｂ）におけるソフトキーＳＫ１３２１）、ＯＫボタンＳＫＯＫがタッチ操作された場合、当該タッチ操作されているソフトキーに対応する被選択項目の選択指示が確定されたと判断する（Ｓ１４；ＹＥＳ）。
【００９６】
そして、制御部１０は、ステップＳ７又はステップＳ９において、表示制御部１３によって、選択されたと判断された被選択項目に対応する機能（例えば図９（ａ）における「自動倍率優先」）の設定内容を、ステップＳ１４において選択指示が確定された被選択項目に対応する機能の設定内容（例えば図９（ｂ）における「オフ」））に確定し、当該機能の情報及び設定内容を示す情報の組み合わせをＲＡＭに記憶する（Ｓ１５）。一方、ＯＫボタンＳＫＯＫがタッチ操作されていない場合は（Ｓ１４；ＮＯ）、ステップＳ９に戻る。
【００９７】
そして、操作受付部１１によって、スタートキー７５（図２）の押下操作の指示が受け付けられていない場合は（Ｓ１６；ＮＯ）、ステップＳ５に戻る。一方、ステップＳ１５の実行後、操作受付部１１によって、スタートキー７５（図２）の押下操作の指示が受け付けられると（Ｓ１６；ＹＥＳ）、制御部１０は、ステップＳ６でＲＡＭ等に記憶された設定内容を用いて機能の動作を開始する（Ｓ１７）。
【００９８】
このように、上記実施形態の構成によれば、ステップＳ４（第２ステップ）によって、第１ウィンドウＷ１を複数の被選択項目を選択可能な状態で表示したまま、第１ウィンドウＷ１で選択された被選択項目の一つ下の階層に関連付けられた被選択項目が選択可能に第２ウィンドウＷ２に表示される。このため、ユーザーは、第２ウィンドウＷ２が表示されたままの状態で、第１ウィンドウＷ１に表示された被選択項目を選択することができる。したがって、第１ウィンドウＷ１に表示された被選択項目を選択し直すために、第２ウィンドウＷ２を閉じる必要がなく、複数のウィンドウを階層的に表示して設定操作を順序立てて行うときの利便性が向上する。
【００９９】
また、上記実施形態の構成によれば、ステップＳ６（第３ステップ）によって、第２ウィンドウＷ２が表示されたままの状態で、新たに第１ウィンドウＷ１に表示された被選択項目を新たに選択した場合に、第２ウィンドウＷ２に表示されていた被選択項目が、当該新たに選択した被選択項目に関連付けられた被選択項目に置換して表示される。このため、ユーザーは、第１ウィンドウＷ１に表示された被選択項目を選択し直した場合に、第２ウィンドウＷ２を閉じることなく即座に、第２ウィンドウＷ２に表示された当該選択し直した被選択項目に関連付けられた被選択項目を選択することができる。したがって、複数のウィンドウを階層的に表示して設定操作を順序立てて行うときの利便性が向上する。
【０１００】
また、上記実施形態の構成によれば、ステップＳ８（第４ステップ）によって、第１ウィンドウＷ１及び第２ウィンドウＷ２を複数の被選択項目を選択可能な状態で表示したまま、第２ウィンドウＷ２で選択された被選択項目の一つ下の階層に関連付けられた被選択項目が選択可能に第３ウィンドウＷ３に表示される。このため、ユーザーは、第３ウィンドウＷ３が表示されたままの状態で、第１ウィンドウＷ１及び第２ウィンドウＷ２に表示された被選択項目を選択することができる。したがって、第１ウィンドウＷ１及び第２ウィンドウＷ２に表示された被選択項目を選択し直すために、第３ウィンドウＷ３を閉じる必要がなく、複数のウィンドウを階層的に表示して設定操作を順序立てて行うときの利便性が向上する。
【０１０１】
また、上記実施形態の構成によれば、ステップＳ１０（第５ステップ）によって、第３ウィンドウＷ３が表示されたままの状態で、新たに第２ウィンドウＷ２に表示された被選択項目を新たに選択した場合に、第３ウィンドウＷ３に表示されていた被選択項目が、当該新たに選択した被選択項目に関連付けられた被選択項目に置換して表示される。このため、ユーザーは、第２ウィンドウＷ２に表示された被選択項目を選択し直した場合に、第３ウィンドウＷ３を閉じることなく即座に、第３ウィンドウＷ３に表示された当該選択し直した被選択項目に関連付けられた被選択項目を選択することができる。したがって、複数のウィンドウを階層的に表示して設定操作を順序立てて行うときの利便性が向上する。
【０１０２】
また、上記実施形態の構成によれば、ステップＳ１２及びステップＳ１３（第６ステップ）によって、第１ウィンドウＷ１、第２ウィンドウＷ２及び第３ウィンドウＷ３が表示されたままの状態で、第１ウィンドウＷ１に表示された被選択項目を新たに選択した場合、第２ウィンドウＷ２に表示されていた被選択項目が、当該新たに選択した被選択項目に関連付けられた被選択項目に置換して表示される。そして、第２ウィンドウＷ２に表示された被選択項目のうちの予め定められた一つの被選択項目に関連付けられた被選択項目が第３ウィンドウＷ３に表示される。このため、ユーザーは、第１ウィンドウＷ１に表示された被選択項目を選択し直した場合に、第２ウィンドウＷ２及び第３ウィンドウＷ３を閉じることなく即座に、第２ウィンドウＷ２及び第３ウィンドウＷ３に表示された当該選択し直した被選択項目に関連付けられた被選択項目を選択することができる。したがって、複数のウィンドウを階層的に表示して設定操作を順序立てて行うときの利便性が向上する。
【０１０３】
また、上記実施形態の構成によれば、ステップＳ４及びステップＳ６において、第１ウィンドウＷ１において選択された被選択項目と第２ウィンドウＷ２との関係が線画によって可視化される。このため、ユーザーは、第２ウィンドウＷ２に表示されている被選択項目が、第１ウィンドウＷ１に表示された被選択項目のうちの、何れの被選択項目と関連付けられているのかを直感的に把握することができる。
【０１０４】
したがって、例えば、第１ウィンドウＷ１に表示された複数のソフトキーに対応する複数の被選択項目のそれぞれに対して、一つ下の階層に関連付けられた被選択項目の内容が全て同じであった場合等、ユーザーが、第２ウィンドウＷ２に表示されている複数のソフトキーに対応する複数の被選択項目が、第１ウィンドウＷ１に表示された何れの被選択項目に関連付けられたものであるかを誤って判断する虞を軽減することができる。これによって、ユーザーが第２ウィンドウＷ２に表示されたソフトキーを誤ってタッチ操作する虞を軽減することができる。
【０１０５】
また、上記実施形態の構成によれば、ステップＳ８、ステップＳ１０及びステップＳ１３において、第２ウィンドウＷ２においてタッチ操作された被選択項目と第３ウィンドウＷ３との関係が線画によって可視化される。このため、ユーザーは、第３ウィンドウＷ３に表示されている被選択項目が、第２ウィンドウＷ２に表示された被選択項目のうちの、何れの被選択項目と関連付けられているのかを直感的に把握することができる。
【０１０６】
したがって、例えば、第２ウィンドウＷ２に表示された複数のソフトキーに対応する複数の被選択項目のそれぞれに対して、一つ下の階層に関連付けられた被選択項目の内容が全て同じであった場合等、ユーザーが、第３ウィンドウＷ３に表示されている複数のソフトキーに対応する被選択項目が、第２ウィンドウＷ２に表示された何れの被選択項目に関連付けられたものであるかを誤って判断する虞を軽減することができる。これによって、ユーザーが第３ウィンドウＷ３に表示されたソフトキーを誤ってタッチ操作する虞を軽減することができる。
【０１０７】
尚、本発明は上記実施形態の構成に限られず種々の変形が可能である。上記実施形態において図１乃至図１１に示した構成は単なる一例に過ぎず、本発明を当該実施形態に限定する趣旨ではない。
【０１０８】
例えば、図８（ａ）に示すように、操作受付部１１は、線画の第１の始点ＳＰ１に触れたまま、第１ウィンドウＷ１に表示されたソフトキーのうちの一つのソフトキー（例えば、ソフトキーＳＫ１４）が表示されている領域まで移動するスワイプ操作を受け付けるように構成してもよい。そして、当該スワイプ操作が受け付けられた場合に、表示制御部１３は、当該スワイプ操作の終了時に触れていた位置に表示されていたソフトキーに対応する被選択項目（例えば、被選択項目Ｔ１４）が新たに選択されたものとして、ステップＳ６（第３ステップ）を実行するように構成してもよい。
【０１０９】
この構成によれば、ユーザーは、線画の第１の始点ＳＰ１に触れたままスワイプ操作することによって、第１ウィンドウＷ１において選択された被選択項目と第２ウィンドウＷ２との関連付けを変更することを意識しながら、第１ウィンドウＷ１において表示された被選択項目を新たに選択することができる。したがって、その後、ステップＳ６（第３ステップ）が実行されることによって、第２ウィンドウＷ２に表示された被選択項目が、第１ウィンドウＷ１において新たに選択した被選択項目に関連付けられていることを誤って判断する虞が軽減される。
【０１１０】
これと同様に、例えば、図１０（ａ）に示すように、操作受付部１１は、線画の第２の始点ＳＰ２に触れたまま、第２ウィンドウＷ２に表示されたソフトキー（例えば、ソフトキーＳＫ１３３）のうちの一つのソフトキーが表示されている領域まで移動するスワイプ操作を受け付けるように構成してもよい。そして、当該スワイプ操作の終了時に触れていた位置に表示されていた被選択項目（例えば、被選択項目Ｔ１３３）が新たに選択されたものとしてステップＳ１０（第５ステップ）を実行するように構成してもよい。
【０１１１】
この構成によれば、ユーザーは、線画の第２の始点ＳＰ２に触れたままスワイプ操作することによって、第２ウィンドウＷ２において選択された被選択項目と第３ウィンドウＷ３との関連付けを変更することを意識しながら、第２ウィンドウＷ２において表示された被選択項目を新たに選択することができる。したがって、その後、ステップＳ１０（第５ステップ）が実行されることによって、第３ウィンドウＷ３に表示された被選択項目が、第２ウィンドウＷ２において新たに選択した被選択項目に関連付けられていることを誤って判断する虞が軽減される。
【０１１２】
また、例えば、図１１（ａ）に示すように、操作受付部１１は、第１ウィンドウＷ１、第２ウィンドウＷ２、及び第３ウィンドウＷ３が表示されている場合に、線画の第１の始点ＳＰ１に触れたまま、第１ウィンドウＷ１に表示されたソフトキーのうちの一つのソフトキー（例えば、ソフトキーＳＫ１４）が表示されている領域まで移動するスワイプ操作を受け付けるように構成してもよい。そして、当該スワイプ操作が受け付けられた場合に、表示制御部１３は、当該スワイプ操作の終了時に触れていた位置に表示されていたソフトキーに対応する被選択項目（例えば、被選択項目Ｔ１４）が選択されたものとして、ステップＳ１２及びステップＳ１３（第６ステップ）を実行するように構成してもよい。
【０１１３】
この構成によれば、ユーザーは、第１ウィンドウＷ１、第２ウィンドウＷ２、及び第３ウィンドウＷ３が表示されている場合に、線画の第１の始点ＳＰ１に触れたままスワイプ操作することによって、第１ウィンドウＷ１において選択された被選択項目と第２ウィンドウＷ２との関連付けを変更することを意識しながら、第１ウィンドウＷ１において表示された被選択項目を新たに選択することができる。したがって、その後、ステップＳ１２及びステップＳ１３（第６ステップ）が実行されることによって、第２ウィンドウＷ２及び第３ウィンドウＷ３に表示された被選択項目が、第１ウィンドウＷ１において新たに選択した被選択項目に関連付けられていることを誤って判断する虞が軽減される。
【０１１４】
また、表示制御部１３は、ステップＳ４及びステップＳ６において、第２ウィンドウＷ２の外縁の一点を第１の終点ＥＰ１とする線画を表示しないように構成してもよい。
【０１１５】
また、表示制御部１３は、ステップＳ８、ステップＳ１０及びステップＳ１３において、第３ウィンドウＷ３の外縁の一点を第２の終点ＥＰ２とする線画を表示しないように構成してもよい。
【０１１６】
また、表示制御部１３は、ステップＳ１２及びステップＳ１３（第６ステップ）を実行しないように構成してもよい。また、表示制御部１３は、ステップＳ１０（第５ステップ）を実行しないように構成してもよい。また、表示制御部１３は、ステップＳ８（第４ステップ）を実行しないように構成してもよい。また、表示制御部１３は、ステップＳ６（第３ステップ）を実行しないように構成してもよい。
【０１１７】
また、上記実施形態では、本発明に係る画像形成装置として、複合機１を例に説明したが、本発明に係る画像形成装置は、例えば、ファクシミリ装置、プリンター装置及びコピー装置に適用することも可能である。また、上記実施形態では、本発明に係る電子機器をタッチパネル装置７１及び制御部１０に適用する例について説明したが、本発明に係る電子機器は、例えば、スキャナー装置、ゲーム機、携帯電話、及びカーナビゲーション装置に適用することも可能である。
【符号の説明】
【０１１８】
１        ：複合機（画像形成装置）
４        ：画像形成部
５        ：原稿読取部
６        ：原稿給送部
７        ：操作部
１０      ：制御部
１１      ：操作受付部
１２      ：記憶部
１３      ：表示制御部
７１      ：タッチパネル装置（表示部）
７４ａ    ：スイッチ（システムメニューボタン）
７５      ：スタートキー
ＥＰ１    ：第１の終点
ＥＰ２    ：第２の終点
Ｐ        ：液晶ディスプレイ
ＳＫＯＫ  ：ＯＫボタン
ＳＰ１    ：第１の始点
ＳＰ２    ：第２の始点
Ｗ１      ：第１ウィンドウ
Ｗ２      ：第２ウィンドウ
Ｗ３      ：第３ウィンドウ
【図１】
2014006875.tif 000003
【図２】
2014006875.tif 000004
【図３】
2014006875.tif 000005
【図４】
2014006875.tif 000006
【図５】
2014006875.tif 000007
【図６】
2014006875.tif 000008
【図７】
2014006875.tif 000009
【図８】
2014006875.tif 000010
【図９】
2014006875.tif 000011
【図１０】
2014006875.tif 000012
【図１１】
2014006875.tif 000013